【手続補正書】
【提出日】平成17年8月4日(2005.8.4)
【手続補正１】
【補正対象書類名】明細書
【補正対象項目名】発明の名称
【補正方法】変更
【補正の内容】
【発明の名称】音声信号の再生方法及びオーディオディスク
【手続補正２】
【補正対象書類名】明細書
【補正対象項目名】特許請求の範囲
【補正方法】変更
【補正の内容】
【特許請求の範囲】
【請求項１】
第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲のグル−プの構成要素である第１のオ−デイオオンリタイトルであつて、複数のオ−デイオオブジエクト（ＡＯＢ）を含む第１のオ−デイオオンリタイトル（ＡＯＴＴ）と、
前記ボ−ナス楽曲のグル−プが設けられた場合にはそのボ−ナス楽曲のグル−プの構成要素である第２のオ−デイオオンリタイトルであつて、複数のオ−デイオオブジエクト（ＡＯＢ）を含む第２のオ−デイオオンリタイトル（ＡＯＴＴ）と、
前記第１と第２のオ−デイオオンリタイトル（ＡＯＴＴ）を含むオ−デイオタイトルセツト（ＡＴＳ＜１＞〜ＡＴＳ＜ｍ＞）（ただし、ｍは１以上の整数）と、
スチルピクチヤセツト（ＳＰＳ）と、
オ−デイオマネジヤ（ＡＭＧ）を有し、
前記オ−デイオオブジエクト（ＡＯＢ）が、実デ−タとしてオ−デイオデ−タを含むオ−デイオパツク（Ａパツク）を有し、
さらに、前記スチルピクチヤセツト（ＳＰＳ）が前記オ−デイオデ−タに関するスチルピクチヤデ−タを含む静止画パツクを有し、
前記オ−デイオタイトルセツト（ＡＴＳ＜１＞〜ＡＴＳ＜ｍ＞）は、前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記スチルピクチヤセツト（ＳＰＳ）内のスチルピクチヤデ−タをリアルタイムに同期するための時間制御信号を含むスチルピクチヤ・コントロ−ル・インフオメ−シヨン・テ−ブル（ＳＰＣＩＴ）を有し、
前記オ−デイオマネジヤ（ＡＭＧ）が前記オリジナル楽曲およびボ−ナス楽曲のグル−プを識別するためのＡＯＴＴグル−プ番号（ＡＯＴＴ−ＧＲＮ）を有してなる、
デ−タ構造にフオ−マツト化されて、記録するステツプと、により記録されたオーディオディスクを再生する再生方法であって、
前記第１〜第（ｎ−１）番目のオリジナル楽曲のグル−プのオ−デイオデ−タを無条件に再生するステツプと、
前記第ｎ番目のボ−ナス楽曲のグル−プにアクセスするためのインタラクテイブデ−タが供給された場合に、前記第ｎ番目のボ−ナス楽曲のグル−プのオ−デイオデ−タを再生許可するステツプと、
からなり前記再生するステツプは、
記録されたオ−デイオタイトルセツト・インフオメ−シヨン（ＡＴＳＩ）からスチルピクチヤデ−タをペ−ジ制御するリアルタイムに同期するための時間制御信号を含むスチルピクチヤ・コントロ−ル・インフオメ−シヨン・テ−ブル（ＳＰＣＩＴ）をデコ−ドする第１のデコ−ドのステツプと、
前記記録されたオ−デイオタイトルセツト（ＡＴＳ＜１＞〜ＡＴＳ＜ｍ＞）の第１と第２のオ−デイオオンリタイトル（ＡＯＴＴ）に配置されるオ−デイオパツク（Ａパツク）からオ−デイオデ−タをデコ−ドし、前記記録されたスチルピクチヤセツト（ＳＰＳ）に配置される静止画パツクからスチルピクチヤデ−タをデコ−ドする第２のデコ−ドのステツプと、
前記再生時に前記第１のデコ−ドのステツプから取り出されたスチルピクチヤ・コントロ−ル・インフオメ−シヨン・テ−ブル（ＳＰＣＩＴ）に基づいて、前記第２のデコ−ドのステップで取り出されたオ−デイオデ−タとスチルピクチヤデ−タを、リアルタイムに同期制御して出力するステツプと、
からなることを特徴とする再生方法。
【請求項２】
第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲のグル−プの構成要素である第１のオ−デイオオンリタイトルであつて、複数のオ−デイオオブジエクト（ＡＯＢ）を含む第１のオ−デイオオンリタイトル（ＡＯＴＴ）と、
前記ボ−ナス楽曲のグル−プが設けられた場合にはそのボ−ナス楽曲のグル−プの構成要素である第２のオ−デイオオンリタイトルであつて、複数のオ−デイオオブジエクト（ＡＯＢ）を含む第２のオ−デイオオンリタイトル（ＡＯＴＴ）と、
前記第１と第２のオ−デイオオンリタイトル（ＡＯＴＴ）を含むオ−デイオタイトルセツト（ＡＴＳ＜１＞〜ＡＴＳ＜ｍ＞）（ただし、ｍは１以上の整数）と、
スチルピクチヤセツト（ＳＰＳ）と、
オ−デイオマネジヤ（ＡＭＧ）を有し、
前記オ−デイオオブジエクト（ＡＯＢ）が、実デ−タとしてオ−デイオデ−タを含むオ−デイオパツク（Ａパツク）を有し、
さらに、前記スチルピクチヤセツト（ＳＰＳ）が前記オ−デイオデ−タに関するスチルピクチヤデ−タを含む静止画パツクを有し、
前記オ−デイオタイトルセツト（ＡＴＳ＜１＞〜ＡＴＳ＜ｍ＞）は、前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記スチルピクチヤセツト（ＳＰＳ）内のスチルピクチヤデ−タをリアルタイムに同期するための時間制御信号を含むスチルピクチヤ・コントロ−ル・インフオメ−シヨン・テ−ブル（ＳＰＣＩＴ）を有し、
前記オ−デイオマネジヤ（ＡＭＧ）が前記オリジナル楽曲およびボ−ナス楽曲のグル−プを識別するためのＡＯＴＴグル−プ番号（ＡＯＴＴ−ＧＲＮ）を有してなる、
デ−タ構造にフオ−マツト化されて、記録するステツプと、
により記録されたオ−デイオデイスク。
【手続補正３】
【補正対象書類名】明細書
【補正対象項目名】０００１
【補正方法】変更
【補正の内容】
【０００１】
【発明の属する技術分野】
本発明は、マルチチャネル音声信号の再生方法及びオーディオディスクに関する。
【手続補正４】
【補正対象書類名】明細書
【補正対象項目名】０００９
【補正方法】変更
【補正の内容】
【０００９】
また、ディスクに記録されたデータばかりでなく、通信回線を介して伝送されてデータを再生装置、つまり、受信装置側で再生する場合も、同様の問題があり、本発明では、前記の問題を解決した音声信号の再生方法及びオーディオディスクを提供することにある。
【手続補正５】
【補正対象書類名】明細書
【補正対象項目名】００１１
【補正方法】変更
【補正の内容】
【００１１】
１）第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲のグル−プの構成要素である第１のオ−デイオオンリタイトルであつて、複数のオ−デイオオブジエクト（ＡＯＢ）を含む第１のオ−デイオオンリタイトル（ＡＯＴＴ）と、
前記ボ−ナス楽曲のグル−プが設けられた場合にはそのボ−ナス楽曲のグル−プの構成要素である第２のオ−デイオオンリタイトルであつて、複数のオ−デイオオブジエクト（ＡＯＢ）を含む第２のオ−デイオオンリタイトル（ＡＯＴＴ）と、
前記第１と第２のオ−デイオオンリタイトル（ＡＯＴＴ）を含むオ−デイオタイトルセツト（ＡＴＳ＜１＞〜ＡＴＳ＜ｍ＞）（ただし、ｍは１以上の整数）と、
スチルピクチヤセツト（ＳＰＳ）と、
オ−デイオマネジヤ（ＡＭＧ）を有し、
前記オ−デイオオブジエクト（ＡＯＢ）が、実デ−タとしてオ−デイオデ−タを含むオ−デイオパツク（Ａパツク）を有し、
さらに、前記スチルピクチヤセツト（ＳＰＳ）が前記オ−デイオデ−タに関するスチルピクチヤデ−タを含む静止画パツクを有し、
前記オ−デイオタイトルセツト（ＡＴＳ＜１＞〜ＡＴＳ＜ｍ＞）は、前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記スチルピクチヤセツト（ＳＰＳ）内のスチルピクチヤデ−タをリアルタイムに同期するための時間制御信号を含むスチルピクチヤ・コントロ−ル・インフオメ−シヨン・テ−ブル（ＳＰＣＩＴ）を有し、
前記オ−デイオマネジヤ（ＡＭＧ）が前記オリジナル楽曲およびボ−ナス楽曲のグル−プを識別するためのＡＯＴＴグル−プ番号（ＡＯＴＴ−ＧＲＮ）を有してなる、
デ−タ構造にフオ−マツト化されて、記録するステツプと、により記録されたオーディオディスクを再生する再生方法であって、
前記第１〜第（ｎ−１）番目のオリジナル楽曲のグル−プのオ−デイオデ−タを無条件に再生するステツプと、
前記第ｎ番目のボ−ナス楽曲のグル−プにアクセスするためのインタラクテイブデ−タが供給された場合に、前記第ｎ番目のボ−ナス楽曲のグル−プのオ−デイオデ−タを再生許可するステツプと、
からなり前記再生するステツプは、
記録されたオ−デイオタイトルセツト・インフオメ−シヨン（ＡＴＳＩ）からスチルピクチヤデ−タをペ−ジ制御するリアルタイムに同期するための時間制御信号を含むスチルピクチヤ・コントロ−ル・インフオメ−シヨン・テ−ブル（ＳＰＣＩＴ）をデコ−ドする第１のデコ−ドのステツプと、
前記記録されたオ−デイオタイトルセツト（ＡＴＳ＜１＞〜ＡＴＳ＜ｍ＞）の第１と第２のオ−デイオオンリタイトル（ＡＯＴＴ）に配置されるオ−デイオパツク（Ａパツク）からオ−デイオデ−タをデコ−ドし、前記記録されたスチルピクチヤセツト（ＳＰＳ）に配置される静止画パツクからスチルピクチヤデ−タをデコ−ドする第２のデコ−ドのステツプと、
前記再生時に前記第１のデコ−ドのステツプから取り出されたスチルピクチヤ・コントロ−ル・インフオメ−シヨン・テ−ブル（ＳＰＣＩＴ）に基づいて、前記第２のデコ−ドのステップで取り出されたオ−デイオデ−タとスチルピクチヤデ−タを、リアルタイムに同期制御して出力するステツプと、
からなることを特徴とする再生方法。
２）第１〜第（ｎ−１）番目のオリジナル楽曲のグル−プと、所望時に設けられる最終の第ｎ番目のボ−ナス楽曲のグル−プと、のアナログオ−デイオ信号をＡ／Ｄ変換してデジタルデ−タ列を生成するステツプと、
デイスクの記録領域に、
前記第ｎ番目のボ−ナス楽曲のグル−プにアクセスするためのデ−タとして、また、前記ボ−ナス楽曲のグル−プが存在しないことを示すためのデ−タとしてのインタラクテイブデ−タと、
前記オリジナル楽曲のグル−プの構成要素である第１のオ−デイオオンリタイトルであつて、複数のオ−デイオオブジエクト（ＡＯＢ）を含む第１のオ−デイオオンリタイトル（ＡＯＴＴ）と、
前記ボ−ナス楽曲のグル−プが設けられた場合にはそのボ−ナス楽曲のグル−プの構成要素である第２のオ−デイオオンリタイトルであつて、複数のオ−デイオオブジエクト（ＡＯＢ）を含む第２のオ−デイオオンリタイトル（ＡＯＴＴ）と、
前記第１と第２のオ−デイオオンリタイトル（ＡＯＴＴ）を含むオ−デイオタイトルセツト（ＡＴＳ＜１＞〜ＡＴＳ＜ｍ＞）（ただし、ｍは１以上の整数）と、
スチルピクチヤセツト（ＳＰＳ）と、
オ−デイオマネジヤ（ＡＭＧ）を有し、
前記オ−デイオオブジエクト（ＡＯＢ）が、実デ−タとしてオ−デイオデ−タを含むオ−デイオパツク（Ａパツク）を有し、
さらに、前記スチルピクチヤセツト（ＳＰＳ）が前記オ−デイオデ−タに関するスチルピクチヤデ−タを含む静止画パツクを有し、
前記オ−デイオタイトルセツト（ＡＴＳ＜１＞〜ＡＴＳ＜ｍ＞）は、前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）が、前記スチルピクチヤセツト（ＳＰＳ）内のスチルピクチヤデ−タをリアルタイムに同期するための時間制御信号を含むスチルピクチヤ・コントロ−ル・インフオメ−シヨン・テ−ブル（ＳＰＣＩＴ）を有し、
前記オ−デイオマネジヤ（ＡＭＧ）が前記オリジナル楽曲およびボ−ナス楽曲のグル−プを識別するためのＡＯＴＴグル−プ番号（ＡＯＴＴ−ＧＲＮ）を有してなる、
デ−タ構造にフオ−マツト化されて、記録するステツプと、
により記録されたオ−デイオデイスク。
【手続補正６】
【補正対象書類名】明細書
【補正対象項目名】００５９
【補正方法】削除
【補正の内容】